(57)【要約】      （修正有）【課題】回転の力の弱い回転軸に設けた円盤の回転の力を多くのエネルギーを使わずに、回転軸の回転の力を強くする機械を提供する。【解決手段】円盤１を回転軸４に設け、円盤１の直径と重さより直径と重さの大きな円盤２を回転軸５に設け、回転軸３に設けた歯車６と回転軸４に設けた歯車７とをベルトで繋ぎ、回転軸４に設けた歯車８と回転軸５に設けた歯車９をベルトで繋ぎ、回転軸３の回転を低下させて回転軸４に伝え、回転軸４の回転を低下させて回転軸５に伝えることにより、回転軸３の回転力より回転軸５の回転力を強くする機械を特徴とする。【選択図】図１
2020041690.tif 000002
【特許請求の範囲】
【請求項１】
回転軸（４）に設けた円盤（１）の両面の中芯を任意の直径の大きさと任意の深さに削る
回転軸（５）に設けた円盤（２）の両面の中芯を任意の直径の大きさと任意の深さに削る
回転軸（４）に設けた円盤（１）回転軸（５）に設けた円盤（２）と何列でも円盤の両面の中芯を任意の直径の大きさと任意の深さに削る
【請求項１】
Ａ列目の回転軸（４）に設けた円盤（８）と増速機の回転軸と繋ぐ
Ｂ列目の回転軸（５）に設けた円盤（１０）と増速機の回転軸と繋ぐ
Ａ列目の回転軸に設けた円盤（８）Ｂ列目の回転軸に設けた円盤（１０）とこのように何列でも増速機と繋ぐ
【請求項１】
Ａ列目の回転軸（４）に円盤（１）を１個から複数個設ける
Ｂ列目の回転軸（５）に円盤（２）を１個から複数個設ける
回転軸（４）の円盤（１）回転軸（５）の円盤（２）と何列でも複数個設ける
【請求項１】
Ａ列目の回転軸（４）に設けた円盤（１）の直径と重さはＢ列目の回転軸（５）に設けた円盤（２）の直径と重さより直径は小さく重さは軽く
Ｂ列目の回転軸に設けた円盤（２）の直径と重さは（Ａ）列目の回転軸（４）に設けた円盤（１）の直径と重さより直径は大きく重さは重くする
回転軸（４）に設けた円盤（１）回転軸（５）に設けた円盤（２）と何列でも直径は大きく重さを重くして行く
【請求項１】
Ａ列目の回転軸（４）に設けた円盤（８）と機械を繋ぐ
Ｂ列目の回転軸（５）に設けた円盤（１０）と機械を繋ぐ
Ａ列目の回転軸（４）に設けた円盤（８）Ｂ列目の回転軸（５）に設けた円盤（１０）とこのように何列でも機械と繋ぐ
【請求項１】
回転軸（４）に設けた円盤（１）の両面にドーナツ形の円盤を取り付ける
回転軸（５）に設けた円盤（２）の両面にドーナツ形の円盤を取り付ける
回転軸（４）に設けた円盤（１）回転軸（５）設けたに円盤（２）と何列でも円盤の両面にドーナツ形の円盤を取り付ける
【請求項１】
回転軸（３）に設けた円盤（６）の回転数よりの回転軸（４）に設けた円盤（７）の回転数を落とす回転軸（４）に設けた円盤（８）の回転数より回転軸（５）に設けた円盤（９）の回転数を落とす事によって回転軸（３）に設けた円盤（６）と回転軸（４）に設けた円盤（８）の負荷を軽くするこのように何列でも回転数を落として行く
Ａ列目の回転軸（４）に設けた円盤（８）と発電機の回転軸と繋ぐ
Ｂ列目の回転軸（５）に設けた円盤（１０）と発電機の回転軸と繋ぐ
Ａ列目の回転軸（４）に設けた円盤（８）とＢ列目の回転軸（５）に設けた円盤（１０）とこのように何列でも発電機の回転軸と繋ぐ
【発明の詳細な説明】
【技術分野】
【０００１】回転軸（３）に設けた円盤（６）と回転軸（４）に設けた円盤（７）を繋ぐ回転軸（４）に設けた円盤（８）と回転軸（５）に設けた円盤（９）を繋ぐ回転軸（３）に設けた円盤（６）の回転数より回転軸（４）に設けた円盤（７）の回転数を落とす回転軸（４）に設けた円盤（８）より回転軸（５）に設けた円盤（９）の回転数をを落とす回転軸（４）に円盤を（１）を設ける回転軸（５）に円盤（２）を設ける円盤を設けた回転軸の回転の力を強くする機械に関する物である
【背景技術】
【０００２】弱い回転軸（３）の力や強い回転軸（３）の力を使って機械を稼動させるような事であった
【先行技術文献】
【特許文献】
【０００３】
【発明の概要】
【発明が解決しようとする課題】
【０００４】回転軸（３）の弱い回転の力を強い回転の力に変える事
回転軸（３）の回転の力を強い回転の力変えるにはより多くのエネルギーが必要であるより多くのエネルギーを使わずに回転軸（３）の弱い回転の力を強い回転の力に変える事が必要である．
本発明は以上のような事のためになされたものである
【課題を解決するための手段】
【０００５】回転軸（３）に設けた円盤（６）の直径の大きさは回転軸（４）に設けた円盤（７）の直径の大きさより直径は小さく回転軸（４）に設けた円盤（７）の直径の大きさは回転軸（３）に設けた円盤（６）の直径の大きさより直径は大きく回転軸（３）に設けた円盤（６）と回転軸（４）に設けた円盤（７）を繋ぐ回転軸（３）に設けた円盤（６）の回転数より回転軸（４）に設けた円盤（７）の回転数を落とす回転軸（４）に設けた円盤（８）の直径の大きさは回転軸（５）に設けた円盤（９）の直径の大きさより直径は小さく回転軸（５）に設けた円盤（９）の直径の大きさは回転軸（４）に設けた円盤（８）の直径の大きさより直径は大きく回転軸（４）に設けた円盤（８）と回転軸（５）に設けた円盤（９）を繋ぐ回転軸（４）に設けた円盤（８）の回転数より回転軸（５）に設けた円盤（９）の回転数を落とす回転軸（４）に設けた円盤（１）の直径の大きさと重さは回転軸（５）に設けた円盤（２）の直径の大きさと重さより直径は小さく重さは軽く回転軸（５）に設けた円盤（２）の直径と重さは回転軸（４）に設けた円盤（１）の直径と重さより直径は大きく重さは重くする
このようにして回転軸（３）を回転させる事によって回転軸（３）に設けた円盤（６）の回転の力より回転軸（４）設けた円盤（７）の回転の力が強くなる
回転軸（４）に設けた円盤（８）の回転の力より回転軸（５）に設けた円盤（９）の回転の力を強くするを特徴する
【発明の効果】
【０００６】回転軸に円盤を設ける事によって円盤を設けた回転軸の回転の力を強くする回転軸（３）より円盤を設けた回転軸（４）の回転数を落とす円盤を設けた回転軸（４）の回転数より円盤を設けた回転軸（５）の回転数を落とす円盤を列事に順次設ける回転軸（３）を回転させる事によって円盤を設けた回転軸の回転の力を強くする
【図面の簡単な説明】
【０００７】
【図１】  本発明の平面ずである
【発明を実施するための形態】
【０００８】以下本発明を実施するための形態について説明する
モーターの回転軸（３）に設けた歯車（６）の直径の大きさは円盤を設けたけた回転軸（４）に設けた歯車（７）の直径の大きさより直径は小さく円盤を設けた回転軸（４）に設けた歯車（７）の直径の大きさはモーターの回転軸（３）に設けた歯車（６）の直径より直径は大きくモーターの回転軸（３）に設けた歯車（６）と円盤を設けた回転軸（４）に設けた歯車（７）とベルトで繋ぐモーターの回転軸（３）に設けた歯車（６）の回転数より円盤を設けた回転軸（４）に設けた歯車（７）の回転数を落とす円盤を設けた回転軸（４）に設けた歯車（８）の直径の大きさは円盤を設けた回転軸（５）に設けた歯車（９）より直径は小さく円盤を設けた回転軸（５）に設けた歯車（９）の直径の大きさは円盤を設けた回転軸（４）に設けた歯車（８）の直径より直径は大きく円盤を設けた回転軸（４）に設けた歯車（８）と円盤を設けた回転軸（５）に設けた歯車（９）とベルトで繋ぐ円盤（１）を設けた回転軸（４）に設けた歯車（８）より円盤（２）を設けた回転軸（５）に設けた歯車（９）の回転数を落とす回転軸（４）に設けた円盤（１）の直径の大きさと重さは回転軸（５）に設けた円盤（２）の直径の大きさと重さより直径は小さく重さは軽く回転軸（５）に設けた円盤（２）の直径の大きさと重さは回転軸（４）に設けた円盤（１）の直径と重さより直径は大きく重さは重くモーターの回転軸に設けた歯車（６）の回転の力より円盤を設けた回転軸（４）に設けた歯車（７）の回転の力が強くなる円盤を設けた回転軸（４）に設けた歯車（８）の回転の力より円盤を設けた回転軸（５）に設けた歯車（９）の回転の力が強くなる
円盤を設けた回転軸（５）に設けた歯車（１０）から増速機の回転軸に設けた歯車とベルトで繋ぐ増速機のもう一方の回転軸に設けた歯車と発電機の回転軸に設けた歯車とベルトで繋ぐモーターの電線を発電機に繋いでおく握り手を人の手によって回転させる事によって発電機が回転して電気を起こす
【符号の説明】
【０００９】    １      円盤
２      円盤
３      回転軸
４      回転軸
５      回転軸
６      円盤
７      円盤
８      円盤
９      円盤
１０    円盤
Ａ      Ａ列目
Ｂ      Ｂ列目
Ｃ      握り手
【図１】
2020041690.tif 000003